【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
抵抗加熱要素の表面に最適なエネルギー密度を生成し、それによって、前記保護オーバーコートの表面に近接するインクの最適な核形成を生起するために、エネルギーパルスが与えられる前記抵抗加熱要素を覆う保護オーバーコートの最適な最大厚さを決定し、プロセッサ及びメモリを含むコンピュータによって実行されるシステムであって、
（ａ）前記抵抗加熱要素の少なくとも１つの物理的な寸法を示す、加熱要素の少なくとも１つの寸法値を入力する段階と、
（ｂ）前記抵抗加熱要素の少なくとも１つの電気的な特性を示す、加熱要素の少なくとも１つの電気的数値を入力する段階と、
（ｃ）前記インクの少なくとも１つの特性に関連する、少なくとも１つのインク関連係数を入力する段階と、
（ｄ）前記プリントヘッドの熱特性に関連するプリントヘッドの少なくとも１つの熱数値を入力する段階と、
（ｅ）前記加熱要素の少なくとも１つの寸法値と、前記加熱要素の少なくとも１つの電気的数値と、前記少なくとも１つのインク関連係数と、前記少なくとも１つの熱数値と、前記保護オーバーコートの最適な最大厚さとの間の数学的な関係を与える数式を、前記メモリから引き出す段階と、
（ｆ）前記数式に基づいて、前記保護オーバーコートの最適な最大厚さを表わす厚さの値を決定する段階と、を含むシステム。
【請求項２】
（ｇ）前記加熱要素に連結されるスイッチングデバイスの少なくとも１つの電気特性を示すスイッチングデバイスの少なくとも１つの電気的数値を入力する段階と、
（ｈ）前記段階（ｅ）が、前記加熱要素の少なくとも１つの寸法値と、前記加熱要素の少なくとも１つの電気的数値と、前記少なくとも１つのインク関連係数と、前記少なくとも１つの熱数値と、前記スイッチングデバイスの少なくとも１つの電気的数値と、前記保護オーバーコートの最適な最大厚さとの間の数学的な関係を与える数式を前記メモリから引き出すことを含む段階と、を更に含む、請求項１に記載のシステム。
【請求項３】
（ｉ）前記段階（ａ）が、前記加熱要素の幅の値及び前記加熱要素の長さの値を入力することを含む段階と、
（ｊ）前記段階（ｂ）が、前記加熱要素の電力密度値及び前記加熱要素の抵抗値を入力することを含む段階と、
（ｋ）前記段階（ｃ）が、前記プリントヘッド・オフセット温度値を入力することを含む段階と、
（ｌ）前記段階（ｅ）が、前記加熱要素の幅の値と、前記加熱要素の長さの値と、前記加熱要素の電力密度値と、前記加熱要素の抵抗値と、前記少なくとも１つのインク関連係数と、前記プリントヘッド・オフセット温度値と、前記スイッチングデバイスの少なくとも１つの電気的数値と、前記保護オーバーコートの最適な最大厚さとの間の数学的な関係を与える数式を前記メモリから引き出すことを含む段階と、を更に含む、請求項２に記載のシステム。
【請求項４】
前記数式が、ｈｍａｘ＝１／ｂ３｛（ｂ１ＲｓΔＴ）／（ＲｘＷｈｔｒ２＋ＲｓＬｈｔｒＷｈｔｒ）−［ｂ２＋ｂ４（２２＋ΔＴ）＋ｂ５／（ＰＤ×１０−９）］で表わされ、ここで、ｈｍａｘは前記保護オーバーコートの最適な最大厚さであり、Ｗｈｔｒは前記加熱要素の幅の値であり、Ｌｈｔｒは前記抵抗加熱要素の長さの値であり、ΔＴは前記プリントヘッド・オフセット温度値であり、ＰＤは前記抵抗加熱要素の電力密度値であり、Ｒｓは前記抵抗加熱要素の抵抗値であり、Ｒｘはスイッチングデバイスの抵抗値であり、ｂ１、ｂ２、ｂ３、ｂ４及びｂ５はインク関連係数である、請求項３に記載のシステム。
【請求項５】
インクジェット・プリントヘッドの、保護オーバーコートによって覆われた抵抗加熱要素に最適なエネルギーパルスを与え、これによって、前記抵抗加熱要素を覆う前記保護オーバーコートに近接するインクの最適な核形成を生起するために、前記エネルギーパルスが前記抵抗加熱要素の表面に最適なエネルギー密度を与えるシステムであって、
（ａ）前記保護オーバーコートの少なくとも１つの物理的な寸法を示す、保護オーバーコートの少なくとも１つの寸法値をメモリに記憶する段階と、
（ｂ）前記抵抗加熱要素の少なくとも１つの電気的な特性を示す、加熱要素の少なくとも１つの電気的数値をメモリに記憶する段階と、
（ｃ）前記インクの少なくとも１つの特性に関連する、少なくとも１つのインク関連係数をメモリに記憶する段階と、
（ｄ）前記保護オーバーコートの少なくとも１つの寸法値と、前記加熱要素の少なくとも１つの電気的数値と、前記少なくとも１つのインク関連係数と、前記最適なエネルギーパルスの最適な持続時間との間の数学的な関係を与える数式をメモリに記憶する段階と、
（ｅ）前記保護オーバーコートの少なくとも１つの寸法値と、前記加熱要素の少なくとも１つの電気的数値と、前記少なくとも１つのインク関連係数と、前記数式とをメモリから引き出す段階と、
（ｆ）前記少なくとも１つの数式に基づいて、前記最適なエネルギーパルスの最適な持続時間を決定する段階と、
（ｇ）前記段階（ｆ）で決定された最適な持続時間を有する最適なエネルギーパルスを生成する段階と、
（ｈ）前記最適なエネルギーパルスを前記加熱要素に与える段階と、を含むシステム。
【請求項６】
（ｉ）前記プリントヘッドの操作点のオフセット温度を示すプリントヘッド・オフセット温度値をメモリに記憶する段階と、
（ｊ）前記段階（ｄ）が、前記少なくとも１つのプリントヘッド・オフセット温度値と、前記保護オーバーコートの少なくとも１つの寸法値と、前記加熱要素の少なくとも１つの電気的数値と、前記少なくとも１つのインク関連係数と、前記最適なエネルギーパルスの最適な持続時間との間の数学的な関係を与える数式を記憶することを含む段階と、
（ｋ）前記少なくとも１つのプリントヘッド・オフセット温度値をメモリから引き出す段階と、を更に含む、請求項５に記載のシステム。
【請求項７】
前記数式が、ｔｏｐ＝［ｂ２＋ｂ３ｈ＋ｂ４（２２＋ΔＴ）＋ｂ５／（ＰＤ×１０−９）］／ＰＤで与えられ、ここで、ｔｏｐは前記エネルギーパルスの最適な持続時間であり、ΔＴは前記プリントヘッド・オフセット温度値であり、ＰＤは前記加熱要素の電力密度値であり、ｈは保護オーバーコートの厚さの値であり、ｂ２、ｂ３、ｂ４及びｂ５は、インク関連係数である、請求項６に記載のシステム。
【請求項８】
インクジェット・プリントヘッドの、保護オーバーコートによって覆われた抵抗加熱要素に最適なエネルギーパルスを与え、これによって、前記抵抗加熱要素を覆う前記保護オーバーコートに近接するインクの最適な核形成を生起するために、前記エネルギーパルスが前記抵抗加熱要素の表面に最適なエネルギー密度を与えるシステムであって、
（ａ）前記加熱要素の幅の値をメモリに記憶する段階と、
（ｂ）前記保護オーバーコートの厚さの値をメモリに記憶する段階と、
（ｃ）前記加熱要素の電力密度値及び前記加熱要素の抵抗値をメモリに記憶する段階と、
（ｄ）前記インクの少なくとも１つの特性に関連する、少なくとも１つのインク関連係数をメモリに記憶する段階と、
（ｅ）前記プリントヘッドの操作点のオフセット温度を示すプリントヘッド・オフセット温度値をメモリに記憶する段階と、
（ｆ）前記加熱要素の幅の値と、前記加熱要素の電力密度値と、前記加熱要素の抵抗値と、前記最適なエネルギーパルスを生成するために前記加熱要素を通って流れる電流の最適な大きさを表わす電流値との間の数学的な関係を与える第１の数式、ｉ＝Ｗｈｔｒ（ＰＤ／Ｒｓ）１／２であって、ｉは、前記エネルギーパルスを生成するために前記加熱要素を通って流れる電流の最適な大きさであり、Ｗｈｔｒは前記加熱要素の幅の値であり、Ｒｓは前記加熱要素の抵抗値である数式をメモリに記憶する段階と、
（ｇ）前記保護オーバーコートの厚さの値と、前記加熱要素の電力密度値と、前記少なくとも１つのインク関連係数と、前記プリントヘッド・オフセット温度値と、前記抵抗加熱要素の表面に最適なエネルギー密度を与えるための、前記最適なエネルギーパルスの最適な持続時間との間の数学的な関係を与える第２の数式、ｔｏｐ＝［ｂ２＋ｂ３ｈ＋ｂ４（２２＋ΔＴ）＋ｂ５／（ＰＤ×１０−９）］／ＰＤであって、ｔｏｐは前記エネルギーパルスの最適な持続時間であり、ΔＴは前記プリントヘッド・オフセット温度値であり、ＰＤは前記加熱要素の電力密度値であり、ｈは前記保護オーバーコートの厚さの値であり、ｂ２、ｂ３、ｂ４及びｂ５は、前記インク関連係数である数式をメモリに記憶する段階と、
（ｈ）前記加熱要素の幅の値と、前記保護オーバーコートの厚さの値と、前記加熱要素の電力密度値と、前記加熱要素の抵抗値と、前記少なくとも１つのインク関連係数と、前記プリントヘッド・オフセット温度値とをメモリから引き出す段階と、
（ｉ）前記第１の数式をメモリから引き出す段階と、
（ｊ）前記第１の数式に基づいて、前記最適なエネルギーパルスを生成するために前記加熱要素を通って流れる電流の最適な大きさを表わす電流値を決定する段階と、
（ｋ）前記第２の数式をメモリから引き出す段階と、
（ｌ）前記第２の数式に基づいて、前記最適なエネルギーパルスの最適な持続時間を表わす時間値を決定する段階と、
（ｍ）前記段階（ｊ）で決定された電流値に基づいて、前記段階（ｌ）で決定された時間値に一致する持続時間を有する最適なエネルギーパルスを生成する段階と、
（ｎ）前記最適なエネルギーパルスを前記加熱要素に与える段階と、を含むシステム。
【請求項９】
インクジェット・プリントヘッドの抵抗加熱要素に最適なエネルギーパルスを与え、それによって、前記抵抗加熱要素の表面に近接するインクの最適な核形成を生起するために、前記エネルギーパルスが前記抵抗加熱要素の表面に最適なエネルギー密度を与えるシステムであって、
（ａ）前記抵抗加熱要素の少なくとも１つの物理的な寸法を示す、幅の値を含む加熱要素の少なくとも１つの寸法値をメモリに記憶する段階と、
（ｂ）前記抵抗加熱要素の少なくとも１つの電気的な特性を示す、電力密度値及び抵抗値を含む加熱要素の少なくとも１つの電気的数値をメモリに記憶する段階と、
（ｃ）前記加熱要素の少なくとも１つの寸法値と、前記加熱要素の少なくとも１つの電気的数値と、前記最適なエネルギーパルスを生成するために前記加熱要素を通って流れる電流の最適な大きさを表わす電流値との間の数学的な関係を与える少なくとも１つの数式をメモリに記憶する段階と、
（ｄ）前記加熱要素の少なくとも１つの寸法値と、前記加熱要素の少なくとも１つの電気的数値と、前記少なくとも１つの数式とをメモリから引き出す段階と、
（ｅ）前記少なくとも１つの数式に基づいて、前記最適なエネルギーパルスを生成するために前記加熱要素を通って流れる電流の最適な大きさを表わす電流値を決定する段階と、
（ｆ）前記段階（ｅ）で決定された数値に一致する前記最適なエネルギーパルスを生成する段階と、
（ｇ）前記最適なエネルギーパルスを前記加熱要素に与える段階と、を含み、
前記少なくとも１つの数式が、ｉ＝Ｗｈｔｒ（ＰＤ／Ｒｓ）１／２を含み、ここで、ｉは、前記エネルギーパルスを生成するために前記加熱要素を通って流れる電流の最適な大きさを表わす電流値であり、Ｗｈｔｒは前記加熱要素の幅の値であり、ＰＤは前記加熱要素の電力密度値であり、Ｒｓは前記加熱要素の抵抗値である、
システム。